(57)【要約】      （修正有）【課題】名刺名義人から名刺を受け取った受領者と、受領者から当該名刺を転得した転得者とを関連づけた名簿を作成する名簿作成システムを提供する。【解決手段】名簿作成システムは、名刺、Ｗｅｂページ、およびＷｅｂページに接続したサーバを用いる。前記名刺は、前記名刺を受領した受領者の氏名を記入する氏名記入欄と、前記Ｗｅｂページをブラウザに表示させる案内表示とを備え、前記Ｗｅｂページは、前記受領者の氏名を記入する第１記入欄と、前記受領者から前記名刺を入手した転得者の氏名を記入する第２記入欄とを備え、前記サーバは、前記転得者の氏名および前記受領者の氏名を記憶する名簿ファイルとを備える。名簿作成システムは、前記名簿ファイルに基づき、名簿を作成する。【選択図】図２
2018187816.tif 000002
【特許請求の範囲】
【請求項１】
名刺、Ｗｅｂページ、およびＷｅｂページに接続したサーバを用いた名簿作成方法であって、
前記名刺は、前記名刺を受領した受領者の氏名を記入する氏名記入欄と、前記Ｗｅｂページをブラウザに表示させる案内表示とを備え、
前記Ｗｅｂページは、前記受領者の氏名を記入する第１記入欄と、前記受領者から前記名刺を入手した転得者の氏名を記入する第２記入欄とを備え、
前記サーバは、前記転得者の氏名および前記受領者の氏名を記録する名簿ファイルとを備える、名簿作成方法。
【請求項２】
前記サーバは、さらに、前記受領者が前記名刺を名刺交換により交換した際に、前記受領者が手渡し受領者名刺を記録する受領者名刺ファイルを備え、
前記名簿ファイルと前記受領者名刺ファイルとから前記受領者が一致するか否かを照合する、請求項１に記載の名簿作成方法。
【請求項３】
請求項１または請求項２に記載の名簿作成方法に使用可能であることを特徴とする名刺。
【請求項４】
長方形の第１のカード部と、第２のカード部とからなり、前記第１および前記第２のカード部が一辺で連なり、該連なる一辺で折り曲げ可能な折りたたみ型の名刺であって、
前記第１のカード部は、少なくとも個人の名称が記載され、
前記第２のカード部は、所定のＷｅｂページへの案内表示が記載され、かつ、前記名刺の受取人の氏名を記入する氏名記入欄を備え、
前記連なる一辺は、前記第１のカード部と前記第２のカード部とを切断容易にするミシン目加工が施されている、折りたたみ型の名刺。
【請求項５】
前記第１のカード部に、名刺を受領した者への特典事項が記載されていることを特徴とする、請求項４に記載の折りたたみ型の名刺。
【請求項６】
前記第２のカード部に、名刺を受領した者から前記第２のカード部を転得した者への特典事項が記載されていることを特徴とする、請求項４または請求項５に記載の折りたたみ型の名刺。
【請求項７】
複数のデータ入力欄を有するＷｅｂページをブラウザに表示させる案内表示を有する名刺と、
名簿のデータベースファイルを収容し、ネットワークに接続されたサーバとを備え、
前記名刺を前記名刺の名義人から受け取った受領者から前記名刺を転得した転得者が、前記案内表示に基づき、ブラウザに前記Ｗｅｂページを表示させるステップと、
前記転得者が、前記Ｗｅｂページの前記データ入力欄の１つに前記受領者の氏名を記入し、前記データ入力欄の別の１つに前記転得者の氏名を記入するステップと、
前記記入欄に記入された前記受領者の氏名および前記転得者の氏名を前記サーバに収容された前記データベースファイルに転送するステップと、を含むことを特徴とする名簿作成システム。
【発明の詳細な説明】
【技術分野】
【０００１】
本発明は、名簿作成方法、名刺および名簿作成システムに関する。
【背景技術】
【０００２】
従来より、個人の情報を交換する手段として、「名刺」と称される個人の情報が記載された矩形のカードを交換する手段、すなわち名刺交換がある。名刺には、一般に、個人の名称、所属団体、役職、電話番号、ＦＡＸ番号、ｅ−ｍａｉｌアドレス等の個人を特定する情報（以下、「個人特定情報等」ともいう。）が記載され、さらには、当該個人の経験、保有資格、メッセージ等の付属情報が記載されていることもある。
【０００３】
また、特許文献１には、二つ折りにした状態で名刺サイズとなる名刺であり、開いて切り離すと一方は保管用の名刺、もう一方は名刺に記載された個人や所属団体（以下総称して「名刺名義人」ともいう。）の紹介文や優待事項が記載された流通用の紙片となる折りたたみ型名刺が提案されている。
【先行技術文献】
【特許文献】
【０００４】
【特許文献１】特開２００１−８８４７５号公報
【発明の概要】
【発明が解決しようとする課題】
【０００５】
しかし、上記特許文献１に記載の名刺は、名刺を受け取った人（以下「受領者」ともいう。）が、切り離した流通用紙片をそのまま知人等に手渡すだけであり、当該知人等が受け取った流通用紙片を持参して名刺名義人を訪れても、直接話をすることでもない限り、名刺名義人は誰が流通用紙片を仲介してくれたかが分からなかった。そのため、名刺名義人は仲介してくれた受領者にお礼をすることができず、受領者はせっかく仲介したのに何のメリットも得られなかった。このように、特許文献１に記載の型名刺は、受領者が知人に名刺名義人を紹介しようとする動機付けに欠けていた。
【０００６】
本発明は、これらの問題を解決するためになされたもので、名刺の受領者が、知人等の第三者に当該名刺を手渡す動機付けを与える名刺、名刺に関連づけられた名刺作成方法および名刺作成システムを提供することを目的とする。
【課題を解決するための手段】
【０００７】
（１）本発明に係る名簿作成方法は、名刺、Ｗｅｂページ、およびＷｅｂページに接続したサーバを用いた名簿作成方法であって、前記名刺は、前記名刺を受領した受領者の氏名を記入する氏名記入欄と、前記Ｗｅｂページをブラウザに表示させる案内表示とを備え、前記Ｗｅｂページは、前記受領者の氏名を記入する第１記入欄と、前記受領者から前記名刺を入手した転得者の氏名を記入する第２記入欄とを備え、前記サーバは、前記転得者の氏名および前記受領者の氏名を記録する名簿ファイルとを備える。
【０００８】
この名簿作成方法によれば、名刺名義人が名刺を手渡した受領者と、当該受領者が名刺名義人の名刺を渡してくれた転得者とを関連づけた名簿ファイルによって名簿を作成することができる。この方法で作成された名簿を用いることにより、名刺名義人は、転得者の受領者の両方の名前を関連づけて把握することができる。そのため、受領者に対して転得者を紹介してくれたことに対する特典を付与することにより、受領者が当該名刺を知人等の第三者に手渡す強い動機付けを与えることができる。
【０００９】
（２）前記サーバは、さらに、前記受領者が前記名刺を名刺交換により交換した際に、前記受領者が手渡し受領者名刺を記録する受領者名刺ファイルを備え、前記名簿ファイルと前記受領者名刺ファイルとから前記受領者が一致するか否かを照合するとよい。
【００１０】
この名簿作成方法によれば、名刺交換により名刺名義人が名刺を手渡した際に受領者からも受領者名刺を受領し、当該受領者名刺に基づいて、受領者名刺ファイルを作成する。サーバは、受領者名刺ファイルと名簿ファイルとを照合し、受領者の一致、不一致を照合することができるため、名刺名義人は、自分が名刺交換をした相手が紹介者であるか否かを知ることができる。これにより、紹介者を容易に特定し、
【００１１】
（３）本発明に係る第１の名刺は、本発明の名簿作成方法に使用可能であるとよい。
【００１２】
この名刺は、受領者の氏名を記入する氏名記入欄を備えるものであればよい。また、この名刺は、Ｗｅｂページをブラウザに表示させる案内表示を備えるものであればよい。
【００１３】
（４）また、本発明に係る第２の名刺は、長方形の第１のカード部と、第２のカード部とからなり、前記第１および前記第２のカード部が一辺で連なり、該連なる一辺で折り曲げ可能な折りたたみ型の名刺であって、前記第１のカード部は、少なくとも個人の名称が記載され、前記第２のカード部は、所定のＷｅｂページへの案内表示が記載され、かつ、前記名刺の受取人の氏名を記入する氏名記入欄を備え、前記連なる一辺は、前記第１のカード部と前記第２のカード部とを切断容易にするミシン目加工が施されている。
【００１４】
この折りたたみ型の名刺は、第１のカード部と第２のカード部とをミシン目に沿って切断することにより、第１のカード部と第２のカード部とに分離することができる。分離された第１のカード部は名刺の受領者が一般的な名刺として所持し、第２のカード部は受領者が自分の名前を氏名記入欄に記入した上で第三者に手渡して、名刺名義人を紹介するのに用いる。これにより、名刺名義人が名刺を手渡した受領者は、容易に第三者である転得者に第２のカードを手渡すことができるため、受領者が当該名刺を転得者に手渡す強い動機付けを与えることができる。
【００１５】
（５）本発明に係る名刺は、前記第１のカード部に、名刺を受領した者への特典事項が記載されている。
【００１６】
第１のカード部に特典事項を記載しておくことにより、受領者が第三者に第２のカード部を手渡す強い動機付けを与えることができる。さらに特典事項が記載された第１のカード部は受領者が所持しておくことができるため、名刺名義人に特典を要求するにあたって、特典を記録しておく必要がない。また、第１のカードの特典事項は転得者に知られないため、第１のカードを保持する受領者は、自分が転得者に紹介をする動機を知られることがない。
【００１７】
（６）本発明に係る名刺は、前記第２のカード部に、名刺を受領した者から前記第２のカード部を転得した者への特典事項が記載されている。
【００１８】
第２のカード部に特典事項を記載しておくことにより、転得者がＷｅｂページにアクセスする動機付けを与えることができる。Ｗｅｂページで転得者および受領者の氏名を登録できるようにしておくことにより、名刺名義人が転得者および受領者の氏名を関連づけた名簿を自動的に作成することができる。
【００１９】
（７）本発明に係る名簿作成システムは、複数のデータ入力欄を有するＷｅｂページをブラウザに表示させる案内表示を有する名刺と、名簿のデータベースファイルを収容し、ネットワークに接続されたサーバとを備え、前記名刺を前記名刺の名義人から受け取った受領者から前記名刺を転得した転得者が、前記案内表示に基づき、ブラウザに前記Ｗｅｂページを表示させるステップと、前記転得者が、前記Ｗｅｂページの前記データ入力欄の１つに前記受領者の氏名を記入し、前記データ入力欄の別の１つに前記転得者の氏名を記入するステップと、前記記入欄に記入された前記受領者の氏名および前記転得者の氏名を前記サーバに収容された前記データベースファイルに転送するステップと、を含む。
【発明の効果】
【００２０】
本発明に係る名簿作成方法によれば、名刺名義人が名刺を受領者に渡した後、受領者がさらに第三者に仲介してくれた場合に、当該第三者（転得者）および受領者の名前を関連づけた名簿を作成することができる。
【図面の簡単な説明】
【００２１】
【図１】本発明の第１の実施形態に係る折りたたみ型の名刺の斜視図である。
【図２】本発明の第１の実施の形態に係る折りたたみ型の名刺の開状態を示す平面図である。
【図３】本発明の第１の実施の形態に係る折りたたみ型の名刺の閉状態を示す平面図である。
【図４】本発明の第１の実施の形態に係る折りたたみ型の名刺の切り取った状態を示す平面図である。
【図５】本発明の第２の実施の形態に係る名簿作成システムの概念図である。
【図６】本発明の第２の実施形態に係るＷｅｂページを表示させたブラウザの例である。
【発明を実施するための形態】
【００２２】
［第１の実施形態（名刺の実施形態）］
【００２３】
本発明の実施の形態に係る名刺について、図面を参照して説明する。本実施例において、名刺とは、従来よく知られるように、平面視して縦寸法（上下方向の寸法）が９１ｍｍ、横寸法（左右方向の寸法）が５５ｍｍの縦長のカードを意味する。しかし、名刺の寸法は、交換用のカードとして機能すれば、これに限定されず、横長や正方形であってもよい。
【００２４】
折りたたみ型の名刺とは、折りたたんだ状態（閉状態）で名刺の寸法となるカードを意味する。また、折りたたみ型の名刺は、開いた状態（開状態）で、通常の名刺の略二倍の寸法を有する。
【００２５】
また、名刺に記載される情報は、少なくとも個人の名称を含み、これに加えて、一般的に、個人の所属する団体名称、役職、所在地、電話番号、ＦＡＸ番号、メールアドレス等の個人情報を含む。また、名刺は、個人の考え、略歴、保有資格、写真等の個人に関する個人関連情報や、個人の所属する団体の理念、歴史、団体の所有資格等の団体に関する団体関連情報を含んでいてもよい。
【００２６】
図１〜図４を参照して、本発明の第１の実施の形態に係る折りたたみ型の名刺１００（以下、単に「名刺１００」ともいう。）について説明する。図１は、名刺１００の斜視図を示す。図２（Ａ）は、開状態の名刺１００の表面を示し、図２（Ｂ）は、開状態の名刺１００の裏面を示す。また、図３（Ａ）は、閉状態の名刺１００の表面を示し、図３（Ｂ）は、閉状態の名刺１００の裏面を示す。さらに、図４（Ａ）は、分離した状態の名刺１００の第１のカード部１１０の表面を示し、図４（Ｂ）は、分離した状態の名刺１００の第１のカード部１１０の裏面を示し、図４（Ｃ）は、分離した状態の名刺１００の第２のカード部１２０の表面を示し、図４（Ｄ）は、分離した状態の名刺１００の第２のカード部１２０の裏面を示す。
【００２７】
説明を容易にするために、図２〜図４には、名刺１００に、方向を特定するための印Ｍが仮想的に記されている。例えば、印Ｍは、図２（Ａ）において、名刺１００の左上に記され、図２（Ｂ）において、折りたたみ型の名刺１００の右上に記されている。これにより、図２（Ａ）と図２（Ｂ）との関係は、名刺１００を左右方向にひっくり返した状態であること、すなわち、上下方向を維持したまま左右方向に反転されていることが特定される。
【００２８】
図１に示すように、本発明の第１の実施の形態に係る折りたたみ型の名刺１００は、第１のカード部１１０と、第２のカード部１２０と、折目部１３０とからなる。第１および第２のカード部１１０，１２０は同一の矩形の形状である。ここで同一とは、完全に寸法が同一の場合に限らず、数ミリ程度の誤差を含む。第１および第２のカード部１１０，１２０は、それぞれが名刺として機能する形状である。
【００２９】
図２に示すように、第１のカード部１１０および第２のカード部１２０は、折目部１３０を介して連結されており、一体的なカード１００ａを形成している。本実施の形態において、第１および第２のカード部１１０，１２０は、それぞれ、寸法を５５ｍｍとした横方向の短辺である１１０ａ，１１０ｂ，１２０ａ，１２０ｂを有し、寸法を９１ｍｍとした縦方向の長辺１１０ｃ，１１０ｄ，１２０ｃ，１２０ｄを有する。これにより、カード１００ａは、縦寸法９１ｍｍ、横寸法１１０ｍｍの横長の矩形となる。
【００３０】
名刺１００は、第１のカード部１１０と第２のカード部１２０とが横方向に隣接して位置し、折目部１３０は、各カード部１１０，１２０の長辺１１０ｄ，１２０ｃから形成されている。第１のカード部１１０と第２のカード部１２０とは、開状態において、両一方の面１１０ｆ，１２０ｆを表面とし、かつ、両他方の面１１０ｒ，１２０ｒを裏面として折目部１３０を介して連なっている。
【００３１】
第１のカード部１１０は、短辺１１０ｂ側（短辺１１０ａの反対側）を識別の上方向として、一方の面１１０ｆに少なくとも個人の名称１１１が記載され、かつ、短辺１１０ｂ側を識別の上方向として、他方の面１１０ｒに少なくとも他の情報が記載されている。また、第２のカード部１２０は、短辺１２０ｂ側（短辺１２０ａの反対側）を識別の上方向として、一方の面１２０ｆに少なくとも他の情報が記載され、かつ、短辺１２０ｂ側を識別の下方向として、他方の面１２０ｒに他の情報が記載されている。
【００３２】
本実施の形態において、第１のカード部１１０には、表面である一方の面１１０ｆ（図２（Ａ）参照）に、個人（以下「名刺名義人」ともいう。）の名称１１１の他に、他の情報として役職（肩書）、電話番号および電子メールアドレスが記載されている。これらに加えて、団体名称、所在地（住所）、ＦＡＸ番号、Ｗｅｂサイト（以下、Ｗｅｂページまたはホームページもしくは略してＨＰともいう。）のＵＲＬが記載されていてもよい。
【００３３】
さらに、第１のカード部１１０は、裏面である他方の面１１０ｒ（図２の（Ｂ）参照）に、名刺名義人の所属する組織の名称、第１の特典事項、組織の住所、電話番号、ファクシミリ番号およびＨＰのＵＲＬ、ならびに名刺名義人の自己紹介、写真および肩書が記載されている。他方の面１１０ｒ、１２０ｒは折りたたみ型名刺１００の内側面となる。第１の特典事項は、名刺の受領者が得られる特典である。例えば、第１の特典事項は、名刺名義人の行うセミナーへの割引招待や、名刺名義人の作成した小冊子等の提供である。
【００３４】
また、本実施の形態において、第２のカード部１２０は、表面である一方の面１２０ｆ（図２の（Ａ）参照）に、他の情報として名刺名義人の写真、当該個人が運営するセミナーに対して持っている思い、インターネット上で当該セミナーの情報が掲載されたＷｅｂページへ誘導するための検索キーワード、第２の特典事項が記載されている。第２の特典事項は、名刺の転得者が得られる特典である。例えば、第２のカード部１２０によって当該セミナーを知ったことによる特典である。
【００３５】
さらに、第２のカード部１２０は、裏面である１２０ｒ（図２の（Ｂ）参照）に、他の情報として、面１２０ｆに記載された名刺名義人が運営するセミナーのタイトル、セミナーの紹介文、図表、セミナーを受講することで得られる効果が期さされている。
【００３６】
第２のカード部１２０の面１２０ｆには、さらに、当該セミナーに参加を申し込む申し込みフォームが掲載されたＷｅｂページへ誘導するための案内表示１４０と、名刺を受領した受領者の氏名を記入する氏名記入欄が設けられている。案内表示は、例えば、ＱＲコード（登録商標）であるとよい。案内表示は、Ｗｅｂページへ誘導するための表示であれば、二次元コードの含むデータは、ＵＲＬやＩＰアドレスとするとよい。また、氏名記入欄は、第２のカード部１２０を譲渡することで当該セミナーを紹介した人の氏名を記入する紹介者記入欄であるとよい。
【００３７】
図３に示すように、折りたたみ型の名刺１００は、閉状態で第１のカード部１１０の一方の面１１０ｆを表面とし、第２のカード部１２０の一方の面１２０ｆを裏面として、かつ、それぞれの識別の上下方向を同一にしており、両面名刺として機能する。
【００３８】
本実施の形態において、第１のカード部１１０の一方の面１１０ｆには、閉状態の名刺１００を左右方向に裏返して第２のカード部１２０の一方の面１２０ｆに案内する案内表記を設け、第２のカード部１２０の一方の面１２０ｆには、閉状態の名刺１００を開状態に案内する案内表記を設けるとよい。これにより、名刺交換時に、名刺１００を、面１１０ｆを上にして名刺名義人から受け取った受領者は、案内表記に従い名刺１００を開状態とする前に、左右方向に裏返し、その後、案内表記に従い名刺１００を開状態とする。名刺１００は、この順に案内することにより、識別の上下方向が変動することなく、名刺の情報を識別できる。面１１０ｆに設ける案内表記は「裏返す」の文言や反転を意味する半円状の円弧の一端に矢印を付したマークとするとよい。面１２０ｆに設ける案内表記は、例えば右下部に「はがす」の文言とともに左斜め上方向の矢印を付すとよい。
【００３９】
図４に示すように、名刺１００は、折目部１３０に沿って第１のカード部１１０と第２のカード部１２０とを切り離して分離できる。折目部１３０は、前記第１のカード部と前記第２のカード部とを切断容易にするミシン目加工が施されている。ミシン目加工のミシン目の寸法、間隔は、必要時には容易に切断でき、不要時には容易に切断されないように、適宜変更できる。折りたたみ型の名刺１００は、折目部１３０に沿って切断されることで、第１のカード部１１０と第２のカード部１２０の２枚のカードとして機能する。
【００４０】
第１のカード部１１０は、一方の面１１０ｆと他方の面１１０ｒとで識別の上下方向を同一としており、左右方向にひっくり返すことにより識別方向を同一にしている。これにより、切り離された第１のカード部１１０は、両面名刺として機能する。
【００４１】
第２のカード部１２０も、第１のカード部１１０と同様に、一方の面１２０ｆと他方の面１２０ｒとで識別の上下方向を同一としている。他方の面１２０ｒに設けられた紹介者記入欄１４２には、折りたたみ型名刺１００を名刺名義人から受け取った人（以下「受領者」ともいう。）が自分の名前を記入して、第２のカード部１２０を切り離して、第２のカード部１２０に記載された情報を紹介したい人（以下「転得者」ともいう。）に渡す。これにより、転得者は第２のカード部１２０に記載された検索キーワードやＱＲコード（登録商標）、ＨＰのＵＲＬに基づいて名刺名義人がインターネット上に開示したセミナー情報に触れることができ、Ｗｅｂページに設けられた申し込みフォームにも「紹介者記入欄」が設けられている場合には、第２のカード部１２０の紹介者記入欄１４２の記載に基づいて受領者の氏名を記入することができる。
【００４２】
なお、閉状態の折りたたみ型名刺１００は、第１のカード部１１０と第２のカード部１２０が切り離し可能であれば、図１等に示した縦長ではなく横長や正方形としてもよく、閉状態における上下左右いずれの辺を折目部１３０としてもよい。
【００４３】
［第２の実施形態（名簿作成システム）］
【００４４】
図５は、本発明の第２の実施の形態に係る名簿作成システムの概念図である。同図を参照して、本発明の第２の実施の形態に係る名簿作成システムについて説明する。名簿作成システム２００は、第１の実施形態で説明した名刺１００と、サーバ２１０と端末機２２０とを備える。サーバ２１０および端末機２２０は、インターネット２３０に接続される。
【００４５】
端末機２２０は表示部２２２を備え、Ｗｅｂページをブラウザ上に表示させることができる。端末機２２０としては、例えばパーソナルコンピュータ２２０ａやスマートフォン２２０ｂ等を使用することができる。サーバ２１０は、名簿のデータベースファイル２１２を収容するものである。インターネット以外のネットワークを利用してもよい。
【００４６】
図６は、本実施形態にかかるＷｅｂページを表示させたブラウザの例であり、（Ａ）は第１のページ、（Ｂ）は第２のページを表示させた状態を示す。名刺１００に記載されたＨＰのＵＲＬやＱＲコード（登録商標）１４２により誘導されるＷｅｂページは、図６（Ａ）に示す第１のページ３１０である。ブラウザ３００に表示された第１のページ３１０には、名刺名義人の開設するセミナーの情報が記載されるとともに、セミナーの情報を読んでセミナーに参加したいと思った人が参加を申し込むための申し込みボタン３１２が設けられている。図６（Ｂ）に示す第２のページ３２０は、第１のページ３１０に設けられた申し込みボタン３１２をクリックすると表示される。
【００４７】
第２のページ３２０には、セミナーの申し込みフォーム３２２が設けられている。申し込みフォーム３２２には、複数の記入欄が設けられており、記入欄３２２ａには申込者の氏名、記入欄３２２ｂには名前のフリガナ、記入欄３２２ｃにはメールアドレス、記入欄３２２ｄには申込者の勤務する会社名、記入欄３２２ｅには連絡先の郵便番号、記入欄３２２ｆには住所、記入欄３２２ｇには電話番号、記入欄３２２ｈには参加を希望する日、記入欄３２２ｉには紹介者の氏名がそれぞれ記入される。
【００４８】
記入欄３２２ａは名刺の転得者の氏名を記入する申込者記入欄であり、記入欄３２２ｉは受領者の氏名を記入する紹介者記入欄である。
【００４９】
申し込みフォーム３２２には、送信ボタン３２４が設けられており、送信ボタン３２４をクリックすると、申し込みフォーム３２２の記入欄３２２ａ〜３２２ｉに記入されたデータがインターネット２３０を介してサーバ２１０に送信され、サーバ２１０では所定のデータベースファイル２１２に当該データが追加される。
【００５０】
サーバ２１０は、記入欄３２２ａ〜３２２ｉに記入された申込者（転得者）の情報を記録する転得者名簿ファイル２１２を備える。また、サーバ２１０は、名刺名義人が受領者と名刺交換により入手した受領者の名刺情報を記録した受領者名刺ファイルを備える。各ファイルは、個別のファイルとして管理されてもよく、１つにまとめられたファイルであってもよい。
【００５１】
各ファイルのデータは、相互に関連付けられデータの一致、不一致を照合することができる。例えば、転得者名簿ファイルの申込者の氏名と、受領者名刺ファイルの受領者の氏名が一致するか否かを照合できる。照合の結果、紹介者が名刺交換をしたことのある相手であることを確認できる。受領者名刺ファイルは、従来よく知られる名刺管理ソフト等により作成できる。
【００５２】
なお、名刺１００に記載されたＨＰのＵＲＬやＱＲコード（登録商標）１４２により誘導されるＷｅｂページは、第１のページ３１０ではなく第２のページ３２０であってもよい。
【００５３】
［第３の実施形態（名簿作成方法）］
【００５４】
本発明の第３の実施形態に係る名簿作成方法では、第２の実施形態に係る名簿作成システムを用いて名簿を作成する。具体的には、名簿作成システムを構成するサーバ２１０に収容されたデータベースファイル２１２に名前を含むデータを追加し、名簿を作成する。以下では、名簿を作成するステップについて説明する。
【００５５】
（ステップ１）名刺１００を名刺名義人から受け取った受領者は、折目部１３０に沿って第１のカード部１１０と第２のカード部１２０とを切り離して分離し、第２のカード部１２０に設けられた紹介者記入欄１４２に自分の名前を記入する。受領者は、自分の名前を記入した第２のカード部１２０を、名刺１００に記載の情報を渡したいと思う相手に手渡す。第２のカード部１２０を受け取った者（転得者）にとって、第２のカード部１２０を渡した受領者は「紹介者」となる。
【００５６】
（ステップ２）受領者から第２のカード部１２０を受け取った転得者は、第２のカード部１２０に記載されたＱＲコード（登録商標）１４０に基づき端末機２２０を操作して、ブラウザに第１のページ３１０を端末機２２０の表示部２２２に表示させる。
【００５７】
（ステップ３）転得者は、第１のページ３１０の申し込みボタン３１２をクリックして第２のページ３２０を表示させ、第２のページ３２０に設けられた申し込みフォーム３２２の各記入欄３２２ａ〜３２２ｉに所定の事項を記入し、送信ボタン３２４をクリックする。
【００５８】
（ステップ４）申し込みフォーム３２２の記入欄３２２ａ〜３２２ｉに記入されたデータがインターネット２３０を介してサーバ２１０に送信される。
【００５９】
（ステップ５）サーバ２１０は、受信したデータを所定のデータベースファイル２１２に追加する。追加するデータにはデータの受信時間も加えるとよい。
【００６０】
（ステップ６）サーバ２１０は、データベースファイルのデータを照合する。照合の結果を名刺名義人に報知する。
【００６１】
以上のステップでデータベースファイル２１２にデータが蓄積されることにより、名簿が作成される。当該名簿には、セミナーへの参加を申し込む転得者の名前のみならず、転得者を紹介した紹介者である受領者の名前も併せて記載されている。この名簿に基づけば、名刺名義人は、転得者と受領者とを関連づけて認識することができ、例えば、受領者には転得者の紹介のお礼等の対応をすることができる。そのため、名刺１００の受領者は、第２のカード部１２０を積極的に第三者に渡そうという意欲を持つ。
【符号の説明】
【００６２】
１００      折りたたみ型名刺
１００ａ    カード
１１０      第１のカード部
１１０ｆ    第１のカード部の一方の面
１１０ｒ    第１のカード部の他方の面
１２０      第２のカード部
１２０ｆ    第２のカード部の一方の面
１２０ｒ    第２のカード部の他方の面
１３０      折目部
１１０ｄ，１２０ｃ，  カード部が連なる長辺
１４０      ＱＲコード（登録商標）
１４２      紹介者名記入欄
２００      名簿作成システム
２１０      サーバ
２１２      データベースファイル
２２０      端末機
２２０ａ    パーソナルコンピュータ
２２０ｂ    スマートフォン
２２２      表示部
２３０      インターネット
３００      ブラウザ
３１０      第１のページ
３１２      申し込みボタン
３２０      第２のページ
３２２      申し込みフォーム
３２２ａ〜３２２ｉ  記入欄
３２４      送信ボタン
【図１】
2018187816.tif 000003
【図２】
2018187816.tif 000004
【図３】
2018187816.tif 000005
【図４】
2018187816.tif 000006
【図５】
2018187816.tif 000007
【図６】
2018187816.tif 000008